(57)【要約】【課題】  処理の途中で中止要求が出され、印刷データが印刷装置まで送られなかった印刷要求であっても、印刷履歴として印刷装置で管理することができる印刷サーバ装置を提供する。【解決手段】  接続された複数の印刷装置を管理するプリントサーバ３０であって、クライアント端末１０から発行される印刷要求を受け付けると、制御部３３は、この印刷要求に従って印刷設定情報と印刷データとをプリンタ５０に出力する。また制御部３３は、印刷データのプリンタ５０への出力前に印刷の中止要求を受け付けると、印刷履歴の作成に必要な印刷設定情報と、中止要求とをプリンタ５０に出力するように制御する。【選択図】        図１
2008065422.tif 000002
【特許請求の範囲】
【請求項１】
接続された複数の印刷装置を管理する印刷サーバ装置であって、
発行された印刷要求を受け付ける受付手段と、
受け付けた印刷要求に従って、印刷設定情報と印刷データとを印刷装置に出力する出力手段と、
前記印刷データの前記印刷装置への出力前に、印刷の中止要求を受け付けると、印刷履歴の作成に必要な前記印刷設定情報と、中止要求とを前記印刷装置に出力するように制御する制御手段と、
を有することを特徴とする印刷サーバ装置。
【請求項２】
接続された複数の印刷装置を管理する印刷サーバ装置であって、
発行された印刷要求を受け付ける受付手段と、
受け付けた印刷要求に従って、印刷設定情報と印刷データとを印刷装置に出力する出力手段と、
前記印刷データの前記印刷装置への出力前に、印刷の中止要求を受け付けると、前記印刷設定情報から印刷履歴情報を作成し、中止要求と共に前記印刷装置に出力するように制御する制御手段と、
を有することを特徴とする印刷サーバ装置。
【請求項３】
請求項１記載の印刷サーバ装置と、
前記印刷設定情報を参照して印刷履歴情報を生成する生成手段と、生成された前記印刷履歴情報を格納する記憶手段とを有する印刷装置と、
を有することを特徴とする印刷システム。
【請求項４】
請求項２記載の印刷サーバ装置と、
前記印刷サーバ装置から送信された前記印刷履歴情報を格納する記憶手段を有する印刷装置と、を有することを特徴とする印刷システム。
【請求項５】
複数の印刷装置を管理する印刷サーバ装置を、
発行された印刷要求に従って、印刷設定情報と印刷データとを印刷装置に送信する手段と、
前記印刷データの前記印刷装置への送信前に、印刷の中止要求を受け付けると、印刷履歴の作成に必要な前記印刷設定情報と、中止要求とを前記印刷装置に送信する手段として機能させることを特徴とする印刷履歴管理プログラム。
【請求項６】
複数の印刷装置を管理する印刷サーバ装置を、
発行された印刷要求に従って、印刷設定情報と印刷データとを印刷装置に送信する手段と、
前記印刷データの前記印刷装置への送信前に、印刷の中止要求を受け付けると、前記印刷設定情報から印刷履歴情報を作成する手段と、
中止要求と共に前記印刷履歴情報を前記印刷装置に送信する手段として機能させることを特徴とする印刷履歴管理プログラム。
【発明の詳細な説明】
【技術分野】
【０００１】
本発明は、ネットワークに接続された複数台の印刷装置を管理する印刷サーバ装置に関する。
【背景技術】
【０００２】
複数台のパーソナルコンピュータと、複数台の印刷装置を備えたデータ出力システムでは、パーソナルコンピュータと印刷装置との間に印刷サーバ装置と呼ばれるデータ出力制御装置を介在させる。
【０００３】
例えば、特許文献１に開示された印刷サーバ装置は、印刷装置を管理すると共に、セキュリティ印刷モードが設定されると、ＩＤの入力とパスワードの照合を行い、認証が正しく行われなければ、印刷データを印刷装置に出力しないというものである。
【０００４】
【特許文献１】特開平１０−２１０２２号公報
【発明の開示】
【発明が解決しようとする課題】
【０００５】
しかしながら、上述した特許文献１では、印刷サーバ装置から印刷装置にデータを送って印刷処理を行う前に、印刷サーバ装置に登録してある印刷要求が削除されると、印刷装置側の印刷ログには、印刷サーバ装置で削除された印刷要求の履歴が残らないという課題がある。このため、ユーザは、削除したジョブも含めてすべての印刷ログを確認するために、印刷サーバ装置と、印刷装置との両方の印刷ログを見なければならないという問題がある。
【０００６】
本発明は上記事情に鑑みてなされたものであり、処理の途中で中止要求が出され、印刷データが印刷装置まで送られなかった印刷要求であっても、印刷履歴として印刷装置で管理することができる印刷サーバ装置、印刷システム及び印刷履歴管理プログラムを提供することを目的とする。
【課題を解決するための手段】
【０００７】
かかる目的を達成するために本発明の印刷サーバ装置は、接続された複数の印刷装置を管理する印刷サーバ装置であって、発行された印刷要求を受け付ける受付手段と、受け付けた印刷要求に従って、印刷設定情報と印刷データとを印刷装置に出力する出力手段と、前記印刷データの前記印刷装置への出力前に、印刷の中止要求を受け付けると、印刷履歴の作成に必要な前記印刷設定情報と、中止要求とを前記印刷装置に出力するように制御する制御手段と、を有する構成としている。
このように本発明は、処理途中で中止要求が出され、印刷データが印刷装置まで届かなかった印刷要求であっても、印刷履歴として印刷装置で管理することができる。
【０００８】
本発明の印刷サーバ装置は、接続された複数の印刷装置を管理する印刷サーバ装置であって、発行された印刷要求を受け付ける受付手段と、受け付けた印刷要求に従って、印刷データと印刷設定情報とを印刷装置に出力する出力手段と、前記印刷データの前記印刷装置への出力前に、印刷の中止要求を受け付けると、前記印刷設定情報から印刷履歴情報を作成し、中止要求と共に前記印刷装置に出力するように制御する制御手段と、を有する構成としている。
【０００９】
本発明の印刷システムは、請求項１記載の印刷サーバ装置と、前記印刷設定情報を参照して印刷履歴情報を生成する生成手段を有する印刷装置と、を有する構成としている。
【００１０】
本発明の印刷システムは、請求項２記載の印刷サーバ装置と、前記印刷サーバ装置から送信された前記印刷履歴情報を格納する記憶手段を有する印刷装置と、を有する構成としている。
【００１１】
本発明の印刷履歴管理プログラムは、複数の印刷装置を管理する印刷サーバ装置を、発行された印刷要求に従って、印刷設定情報と印刷データとを印刷装置に送信する手段と、前記印刷データの前記印刷装置への送信前に、印刷の中止要求を受け付けると、印刷履歴の作成に必要な前記印刷設定情報と、中止要求とを前記印刷装置に送信する手段として機能させることを特徴としている。
【００１２】
本発明の印刷履歴管理プログラムは、複数の印刷装置を管理する印刷サーバ装置を、発行された印刷要求に従って、印刷設定情報と印刷データとを印刷装置に送信する手段と、前記印刷データの前記印刷装置への送信前に、印刷の中止要求を受け付けると、前記印刷設定情報から印刷履歴情報を作成する手段と、中止要求と共に前記印刷履歴情報を前記印刷装置に送信する手段として機能させることを特徴としている。
【発明の効果】
【００１３】
本発明は、処理途中で中止要求が出され、印刷データが印刷装置まで送られなかった印刷要求であっても、印刷履歴として印刷装置で管理することができる。
【発明を実施するための最良の形態】
【００１４】
添付図面を参照しながら本発明の好適な実施例を説明する。
【実施例１】
【００１５】
まず、図１を参照しながら本実施例のシステム構成を説明する。本実施例は、複数のクライアント端末１０Ａ，１０Ｂ・・・と、認証装置２０と、プリントサーバ３０と、複数のプリンタ５０Ａ，５０Ｂ，５０Ｃ・・・とがそれぞれＬＡＮ等のネットワーク４０に接続して構成される。システム内のプリンタ５０は、プリントサーバ３０によって管理されており、ユーザのコマンド入力に基づいてクライアント端末１０から印刷ジョブが発行されると、プリントサーバ３０は、この印刷ジョブを受信して、所定タイミングでクライアント端末１０が指定したプリンタ３０に送信する。
なお、図１には、２つのクライアント端末と、１つのプリントサーバと、３つのプリンタとを示しているが、これらの装置の数は図示した数に限定されるものではない。
【００１６】
クライアント端末１０Ａは、通信Ｉ／Ｆ部１１と、制御部１２と、ジョブ履歴記録部１３と、操作・表示部１４とを具備している。なお、クライアント端末１０Ｂもクライアント端末１０Ａと同様の構成を備えているため、クライアント端末１０Ａの説明をクライアント端末１０Ｂの説明に代える。
【００１７】
通信Ｉ／Ｆ部１１は、ネットワーク４０を介してプリントサーバ３０やプリンタ５０と通信を行うための機能部である。クライアント端末１０Ａからプリントサーバ３０には、クライアント端末１０Ａで発行した印刷ジョブが送信され、プリントサーバ３０からクライアント端末１０Ａには、印刷ジョブに対して付けられたジョブＩＤや、印刷ジョブの処理結果が通知される。
【００１８】
制御部１２は、ユーザからの印刷要求により指定された原稿データ、指定プリンタ名に基づいて、印刷ジョブを生成し、プリンタ５０を管理するプリントサーバ３０に対して印刷ジョブを発行する。
また、制御部１２は、プリントサーバ３０から通知される印刷結果を受信して、印刷処理が成功したか否かを判定する。印刷処理の結果は、ジョブ履歴記録部１３に格納される。
【００１９】
操作・表示部１４は、ユーザがクライアント端末１０に対し、印刷指示、印刷の取り消し、印刷状況の確認のための各種設定を入力するための装置であり、また、処理結果をユーザに通知するための表示装置である。
【００２０】
認証装置２０は、クライアント端末１０からの印刷指示に際して、ユーザが印刷の権限を有するユーザであるか否かを判定するためのユーザ認証情報を読み込む。認証装置２０におけるユーザ認証は、ユーザが、直接、認証装置２０でユーザ識別情報（ユーザＩＤ）等を入力したり、クライアント端末１０で入力されたユーザ識別情報を認証装置２０に送信する方法、ユーザが携帯するカード状記憶媒体（以下、セキュリティカードという）からユーザ識別情報等を読み込んで認証を行う方法、ユーザの指紋等の生体的特徴情報を読み取るユーザ認証等を採用することができる。
認証装置２０に読み込まれたユーザ認証情報は、プリントサーバ３０に通知される。プリントサーバ３０では、自己のデータベース、若しくは別途設けられたユーザ管理システムへの問合せに基づき、当該ユーザが印刷指示のあった原稿の印刷指示を行う権限を有するユーザであるかのユーザ認証処理を行い、その応答をクライアント端末に返す。
クライアント端末１０では、ユーザが原稿の印刷指示を行う権限を有していないと判断されると、印刷指示に基づく印刷ジョブは投入されず、破棄される。また、ユーザが原稿の印刷指示を行う権限を有していると判断されると、印刷指示に基づく印刷ジョブを生成し、この印刷ジョブを、ネットワーク４０を経由してプリントサーバ３０へ送信する。
【００２１】
プリントサーバ３０は、通信Ｉ／Ｆ部３１、操作・表示部３２、制御部３３、記憶部３４を具備し、クライアント端末１０から印刷ジョブが送信されると、この印刷ジョブを識別するジョブＩＤを生成してクライアント端末１０に通知すると共に、印刷ジョブをジョブＩＤに対応させて蓄積する。
【００２２】
通信Ｉ／Ｆ３１は、ネットワーク４０を介した通信のための機能部である。クライアント端末１０から送られる印刷ジョブは、ネットワーク４０を介して通信Ｉ／Ｆ部３１からプリントサーバ３０に入力される。
【００２３】
操作・表示部３２は、プリントサーバ３０に対する操作入力のためのユーザインターフェースであり、操作部と表示部を含んでいる。表示部は、例えば、液晶ディスプレイやＣＲＴとして構成することができ、操作部は汎用のキーボードや専用の操作パネル等で構成することができる。
【００２４】
クライアント端末１０からプリントサーバ３０に送られる印刷ジョブには、印刷対象の画像を表すＰＤＬデータの他に、印刷を実行するプリンタの指示や印刷設定に関する指示が送られてくる。このような指示は、ＰＤＬの記述に含まれる場合もあるし、クライアント端末１０とプリントサーバ３０との間で規定されたプロトコルに従ったＰＤＬとは別のデータとして送られてくる場合もある。制御部３３は、この印刷指示データをプリンタ５０が解釈できる形式に変換すると共に、形式変換した印刷指示データから印刷を行うプリンタ５０の指定情報を取り出して、ＰＤＬデータと対応付けて記憶部３４に記憶する。そして、記憶部３４に記憶された印刷指示データとＰＤＬデータとは、印刷の順番が来ると、制御部３３によって読み出されて、指定されたプリンタ５０に送られる。
【００２５】
プリンタ５０は、通信Ｉ／Ｆ部５１、操作・表示部５２、制御部５３、画像処理部５４、記憶部５５、印刷部５６を具備している。
【００２６】
通信Ｉ／Ｆ５１は、ネットワーク４０を介した通信のための機能部である。プリントサーバ３０から送られる印刷ジョブは、ネットワーク４０を介して通信Ｉ／Ｆ部５１からプリンタ５０に入力される。
【００２７】
操作・表示部５２は、プリンタ５０に対する操作入力のためのユーザインターフェースであり、操作部と表示部を含んでいる。この操作・表示部５２も、液晶ディスプレイやＣＲＴと、汎用のキーボードや専用の操作パネルとで構成することができる。
【００２８】
プリンタ５０は、プリントサーバ３０から印刷ジョブを受け取ると、この印刷ジョブに含まれるＰＤＬデータを取り出して、制御部５３の制御のもと、この印刷ジョブを画像処理部５４によりイメージデータに展開する。展開したイメージデータは、印刷ジョブに含まれる印刷指示データとともにジョブＩＤに関連付けされて、記憶部５５に格納される。そして、制御部５５は、各印刷ジョブの印刷順序についてスケジューリングを行い（基本的には入力順である）、その印刷順序に従って各印刷ジョブのイメージデータを印刷部５６に出力する。また、制御部５５は、印刷指示データに従って印刷部５６を制御し、ユーザの所望とする印刷画像が形成される。
【００２９】
上記構成を備えた本実施例の印刷システムは、プリントサーバ３０からプリンタ５０に印刷ジョブが送信される前に削除された印刷ジョブであっても、この印刷ジョブの履歴をプリンタ５０で管理できるようにしたことを特徴としている。このため、本実施例のプリントサーバ３０は、記憶部３４に登録済みで、プリンタ５０への発行を待機している印刷ジョブが、クライアント端末１０からの要求によって削除されると、削除された印刷ジョブに、当該印刷ジョブがプリントサーバ３０で削除されたことを示す削除情報を付加して、クライアント端末１０で指定されたプリンタ５０に送信する。
削除情報が付加された印刷ジョブを受信したプリンタ５０は、印刷ジョブに含まれる印刷指示データから印刷サイズ、ページ数などの情報を取り出して、印刷ログを生成する。生成した印刷ログは、プリンタ５０の記憶部５５に格納される。
【００３０】
次に、フローチャートを参照しながら、印刷システムの各装置の処理手順を説明する。まず、図２に示すフローチャートを参照しながら印刷ジョブの発行から印刷までの全体の流れを説明する。
【００３１】
ユーザは、クライアント端末１０の操作に先立って、認証装置２０にユーザ認証情報を入力する（ステップＳ１）。認証装置２０で入力されたユーザ認証情報は、クライアント端末１０に送信される。
次に、クライアント端末１０は、操作・表示部１４からの操作入力を受け付けて、印刷する原稿、印刷するプリンタ５０の設定や印刷設定を入力する。クライアント端末１０の制御部１２は、ユーザによって入力された設定に従って、プリンタ名、印刷する画像を表すＰＤＬデータ、印刷設定等を設定した印刷ジョブと、ユーザ認証情報をプリントサーバ３０に発行する（ステップＳ２）。
【００３２】
印刷ジョブを受け付けたプリントサーバ３０は、印刷ジョブを記憶部３４に格納すると共に、ユーザが、印刷指示が出された原稿の印刷権限を有するユーザであるかをユーザ認証情報を用いて判定する（ステップＳ３）。プリントサーバ３０では、自己のデータベース若しくは別途設けられたユーザ管理システムへの問合せに基づき、ユーザが印刷指示のあった原稿の印刷指示を行う権限を有するユーザであるかのユーザ認証処理を行う。ユーザ認証に成功すると、受信した印刷ジョブを識別するジョブＩＤを生成してクライアント端末１０に通知する（ステップＳ４）。
【００３３】
また、プリントサーバ３０の制御部３３は、印刷ジョブに含まれる印刷指示データを解析し、印刷を行うプリンタの設定情報を取り出す（ステップＳ５）。そして、印刷の順番が来ると、プリントサーバ３０の制御部３３は、記憶部３４から印刷指示データとＰＤＬデータを取り出して、該当するプリンタ５０に送信する（ステップＳ６）
【００３４】
さらに、プリントサーバ３０の制御部３３は、出力した印刷データに対するプリンタでの印刷状況を監視し、印刷処理が正常に終了すると、印刷ジョブの発行元であるクライアント端末１０に印刷完了通知を出力する（ステップＳ７）。
【００３５】
クライアント端末１０は、プリントサーバ３０から印刷完了通知を受信すると、通知されたジョブＩＤでの印刷が完了した旨をジョブ履歴記憶部１３に登録する。
【００３６】
次に、図３に示すフローチャートを参照しながら、記憶部３４に格納した印刷ジョブのキャンセル指示がクライアント端末１０から出された時のプリントサーバ３０の処理手順を説明する。
クライアント端末１０は、ユーザから印刷ジョブをキャンセルする操作が入力されると、ジョブを削除するコマンドを、キャンセルする印刷ジョブを識別するジョブＩＤと共にクライアント端末１０に通知する。
プリントサーバ３０は、クライアント端末１０からジョブキャンセルのコマンドを受信すると（ステップＳ１１／ＹＥＳ）、印刷ジョブが削除されたことを示す削除情報を含む印刷指示情報を生成して、削除された印刷ジョブに付加してプリンタ５０に送信する（ステップＳ１２）。プリントサーバ３０は、削除情報付きの印刷ジョブのプリンタ５０への送信が終了すると、該当する印刷ジョブを記憶部３４から削除する（ステップＳ１３）。
【００３７】
次に、図４に示すフローチャートを参照しながら、削除情報付きの印刷ジョブを受信したプリンタ５０の処理手順を説明する。
プリンタ５０は、プリントサーバ３０から送くられた印刷ジョブを通信Ｉ／Ｆ部５１で受信する（ステップＳ２１）。プリンタ５０の制御部５３は、受信した印刷ジョブから印刷指示データを取り出して、解析する。解析の結果、印刷指示データに削除情報が付加されている場合には（ステップＳ２２／ＹＥＳ）、プリントサーバ３０で削除された印刷ジョブと判断し、印刷指示データから印刷サイズ、ページ数などの情報を取り出す。制御部５３は、取り出した情報から印刷ログを生成し、生成した印刷ログをジョブＩＤに関連付けて記憶部５５に格納する（ステップＳ２３）。また、印刷ログの生成が終了すると、プリントサーバ３０から受信した印刷ジョブは破棄される（ステップＳ２４）。
また、印刷指示データに削除情報が付加されていない場合には（ステップＳ２２／ＮＯ）、画像処理部５４で、印刷ジョブに含まれるＰＤＬ形式の印刷データを編集（ラスタライズ）して、ビットマップ形式のイメージデータに変換する。このイメージデータを印刷部５６に出力して印刷を行う。
【００３８】
次に、図５に示すフローチャートを参照しながら、プリンタ５０で印刷ログを出力する手順を説明する
プリンタ５０の制御部５３は、操作・表示部５２の操作部より印刷ログの印刷指示が入力されると（ステップＳ３１）、印刷ログを記憶部５５から読み出して（ステップＳ３２）、画像処理部５４で印刷用のイメージデータに変換し、印刷部５６に出力する。印刷部５６は、制御部５３から送信されたイメージデータの画像を形成して出力する（ステップＳ３３）。
【００３９】
このように本実施例は、プリントサーバ３０で削除され、プリンタ５０まで送出されなかった印刷ジョブの記録を、プリンタ５０に記録することができる。従って、ユーザは、プリンタ５０の印刷ログを参照するだけで、印刷履歴を管理することができる。
また、印刷ジョブがプリントサーバ３０に登録されたが、プリンタまで送信されずに、削除されたという処理経過も管理することができる。
また、削除された印刷ジョブをプリントサーバ３０からプリンタ５０に送信するため、削除された印刷ジョブの情報（用紙サイズ、印刷枚数など）の記録や取得も可能となる。このため、プリンタ５０のセキュリティを高めることができる。
【実施例２】
【００４０】
添付図面を参照しながら本発明の第２実施例を説明する。なお、本実施例は、上述した第１実施例と同一の構成を備えているため構成の説明は省略する。本実施例のプリンタ５０は、ＰＤＬデータを解析してイメージデータを生成した後に、削除情報が付加されているか否かを判定する。印刷ジョブに削除情報が付加されている場合には、印刷ジョブがプリントサーバ３０で削除されたジョブと判断し、プリンタ５０は、印刷部５６へのイメージデータの出力を行わない。
【００４１】
図６に示すフローチャートを参照しながら、削除情報付きの印刷ジョブを受信したプリンタ５０の動作手順を説明する。
プリンタ５０の制御部５３は、印刷ジョブを受信すると（ステップＳ４１／ＹＥＳ）、印刷指示データから印刷ログの作成に必要な画像サイズ、印刷ページ数などの情報を取得する。取得した印刷ログに必要な情報は、ジョブＩＤに関連付けられて記憶部５５に一旦格納される。次に、制御部５３は、印刷ジョブに含まれるＰＤＬデータを解析して、イメージデータに展開する（ステップＳ４４）。このイメージデータも印刷ジョブに関連付けて記憶部５５に格納される。
【００４２】
次に、制御部５３は、印刷ジョブに削除情報が付加されているか否かを判定する（ステップＳ４４）。削除情報が付加されている場合には（ステップＳ４４５／ＹＥＳ）、記憶部５５に格納したイメージデータを破棄して印刷を中止する（ステップＳ４６）。また削除情報が付加されていない場合には（ステップＳ４４／ＮＯ）、制御部５３は、印刷部５６にイメージデータを転送して印刷を行う（ステップＳ４５）。
【００４３】
このように本実施例は、プリンタ５０が印刷ジョブをプリントサーバ３０から受信して、印刷ログやイメージデータを生成するまでの手順は、従来の画像形成装置での手順と変わらないため、制御部５３の制御手順の多少の修正で実現できる。
【実施例３】
【００４４】
添付図面を参照しながら本発明の第３実施例について説明する。なお、本実施例も上述した第１実施例と同一の構成を備えているため、構成の説明は省略する。
【００４５】
本実施例は、クライアント端末１０からジョブキャンセルの要求が出されると、プリントサーバ３０が印刷ログ情報を生成して、削除情報と共にプリンタ５０に送信する。すなわち、プリントサーバ３０で削除された印刷ジョブのログ情報を生成して、これを該当のプリンタ５０に送信する。プリントサーバ３０からプリンタ５０にはＰＤＬデータ等の印刷ジョブは送信されない。
【００４６】
ジョブ削除の設定がクライアント端末１０から送信された時のプリントサーバ３０の処理手順を図７に示すフローチャートを参照しながら説明する。
プリントサーバ３０の制御部３３は、処理途中の印刷ジョブに対して、ジョブ削除の設定情報を受信すると（ステップＳ５１）、削除対象の印刷ジョブから印刷ログを生成する（ステップＳ５２）。制御部５３は、印刷指示データから印刷ログの生成に必要な画像サイズ、印刷ページ数などの情報を取得して、印刷ログを生成する。制御部３３は、印刷ログを生成すると、生成した印刷ログと削除情報とをプリンタ５０に送信する（ステップＳ５３）。
【００４７】
次に、印刷ログと削除情報とを受け取ったプリンタ５０の処理手順を図８に示すフローチャートを参照しながら説明する。
プリンタ５０の制御部５３は、通信Ｉ／Ｆ部５１を介して、プリントサーバ３０からのデータの送信を待機している（ステップＳ６１）。プリントサーバ３０からデータを受信すると、制御部５３は、受信したデータを解析する（ステップＳ６２）。解析の結果、受信したデータに削除情報が付加されている場合には（ステップＳ６２／ＹＥＳ）、制御部６２は、削除情報と共に受信した印刷ログをジョブＩＤに関連付けて記憶部５５に格納する（ステップＳ６３）。また、削除情報が付加されていない場合には（ステップＳ６２／ＮＯ）、通常の印刷ジョブを受信したと判定し、通常の印刷処理を実施する（ステップＳ６５）。
【００４８】
上述のように本実施例は、削除された印刷ジョブのログをプリントサーバ３０で作成し、削除情報と共にプリンタ５０に送信するので、プリントサーバ５０からプリンタ３０に送信するデータ量を小さくすることができ、ネットワークトラフィックの改善を図ることができる。また、プリンタ５０側での処理時間を短縮し、プリンタの使用待ち時間の短縮を図ることができる。
【００４９】
上述した実施例は、本発明の好適な実施例である。但し、これに限定されるものではなく、本発明の要旨を逸脱しない範囲内において種々変形実施可能である。
【図面の簡単な説明】
【００５０】
【図１】印刷システムのシステム構成を示す図である。
【図２】印刷ジョブの発行から印刷までの手順を示すフローチャートである。
【図３】実施例１におけるプリントサーバの処理手順を示し、ジョブ削除のコマンドを受け付けた時の処理手順を示すフローチャートである。
【図４】削除情報の付加された印刷ジョブを受信した場合のプリンタの処理手順を示すフローチャートである。
【図５】プリンタで印刷ログを印刷するときの処理手順を示すフローチャートである。
【図６】実施例２におけるプリントサーバの処理手順を示し、ジョブ削除のコマンドを受け付けた時の処理手順を示すフローチャートである。
【図７】実施例３におけるプリントサーバの処理手順を示し、ジョブ削除のコマンドを受け付けた時の処理手順を示すフローチャートである。
【図８】実施例３におけるプリンタの処理手順を示し、削除情報の付加された印刷ジョブを受信した場合のプリンタの処理手順を示すフローチャートである。
【符号の説明】
【００５１】
１０  クライアント端末
１１、３１、５１  通信Ｉ／Ｆ
１２、３３、５３  制御部
１３  ジョブ履歴記録部
１４、３２、５２  操作・表示部
２０  認証装置
３０  プリントサーバ
４０  ネットワーク
【図１】
2008065422.tif 000003
【図２】
2008065422.tif 000004
【図３】
2008065422.tif 000005
【図４】
2008065422.tif 000006
【図５】
2008065422.tif 000007
【図６】
2008065422.tif 000008
【図７】
2008065422.tif 000009
【図８】
2008065422.tif 000010